(57)【要約】【課題】サービスポートにチャージホースを取り付けた際に、冷媒回路からの冷媒が外部に漏れるのを防止したチャージホースを得る。【解決手段】この発明に係るチャージホースは、ポート本体と接続される筒状の接続部１１と、この接続部１１に端部が貫通し冷媒が流通する通路を有するホース本体１２と、このホース本体１２の端部に設けられホース本体１２側に付勢されたチャッキ弁６の付勢力に逆らってチャッキ弁６の先端部と当接してチャッキ弁６を移動させて冷媒回路と連通させる押圧部材１６と、この押圧部材１６を囲って設けられ、ポート本体２の先端部に当接するとともに圧縮変形する筒状のパッキン１５とを備え、押圧部材１６は、チャッキ弁６の先端部に当接したときには、パッキン１５もポート本体２の先端部に当接するようになっている。【選択図】        図１
2005009594.tif 000002
【特許請求の範囲】
【請求項１】
ポート本体内に保持され冷媒の流出を制御するチャッキ弁を有するとともに冷媒回路に設けられたサービスポートに着脱可能に取り付けられ、サービスポートに取り付けることで前記冷媒回路と連通するチャージホースであって、
前記ポート本体と接続される筒状の接続部と、
この接続部に端部が貫通し前記冷媒が流通する通路を有するホース本体と、
このホース本体の端部に設けられホース本体側に付勢された前記チャッキ弁の付勢力に逆らってチャッキ弁の先端部と当接してチャッキ弁を移動させて前記冷媒回路と連通させる押圧部材と、
この押圧部材を囲って設けられ、前記ポート本体の先端部に当接するとともに圧縮変形する筒状のパッキンとを備え、
前記押圧部材は、前記チャッキ弁の前記先端部に当接したときには、前記パッキンも前記ポート本体の先端部に当接するようになっているチャージホース。
【請求項２】
前記押圧部材は、前記チャッキ弁の先端部と当接する押圧部材本体と、この押圧部材本体の両側に設けられた台座部とから構成され、この台座部は、前記ホース本体のフランジと前記パッキンとで挟持されている請求項１に記載のチャージホース。
【請求項３】
前記冷媒回路は、空調機の冷媒回路である請求項１または請求項２に記載のチャージホース。
【請求項４】
前記冷媒回路は、冷凍機の冷媒回路である請求項１または請求項２に記載のチャージホース。
【発明の詳細な説明】
【０００１】
【発明の属する技術分野】
この発明は、ポート本体内に保持され冷媒の流出を制御するチャッキ弁を有するとともに冷媒回路に取り付けられたサービスポートに着脱可能に設けられ、サービスポートに取り付けることで前記冷媒回路と連通するチャージホースに関するものである。
【０００２】
【従来の技術】
図８は従来のチャージホースの断面図である。
このチャージホース１００は、鋼材で構成され内周面に雌ねじ部１４が形成された円筒形状の接続部１１と、この接続部１１に端部が貫通し空調機の冷媒が流通する通路１７を有する黄銅製のホース本体１２と、このホース本体１２の端部に設けられ台形状の押圧部材３０と、ホース本体１２の内周端部に接着されたゴム製の円筒形状のパッキン１５とを備えている。
ホース本体１２の端部には径方向に延びたフランジ１３が形成されている。押圧部材３０は、台形状の押圧部材本体３０ｂと、この押圧部材本体３０ｂの両側に設けられた台座部３０ａとから構成されている。この台座部３０ａは、ホース本体１２のフランジ１３とパッキン１５とで挟持されている。
【０００３】
空調機の冷媒回路にはサービスポート１が設けられている。
このサービスポート１は、黄銅製のポート本体２と、このポート本体２内に収納され冷媒の流出を制御するＴ字形状のチャッキ弁６と、このチャッキ弁６をチャージホース１００側に付勢したスプリング８と、サービスポート１の通路３の内周面に固定された筒状のスリーブ４と、スリーブ４の下端部に固定されたＯリング７とを備えている。
チャッキ弁６は、弁本体６ａとロッド５とから構成されている。弁本体６ａは、スプリング８の弾性力によりＯリング７に当接することで、通路３内の冷媒が外部に流出することが防止される。
【０００４】
次に、上記構成のチャージホース１００を用いて、空調機の冷媒回路内の圧力を測定する場合の作用について説明する。
先ず、ポート本体２の雄ねじ部９に接続部１１の雌ねじ部１４を螺着する。その螺着途中、ロッド５の先端部は、押圧部材３０の押圧部材本体３０ｂに当接し、チャッキ弁６は、スプリング８の弾性力に逆らって下動し、弁本体６ａはＯリング７から離間し、空調機の冷媒はチャージホース１００の通路１７に流れ込む（図９参照）。そして、最終的にはポート本体２の先端部がパッキン１５の下端部に当接した状態で、サービスポート１にチャージホース１００は固定され（図１０参照）、チャージホース１００の端部に固定された圧力計（図示せず）により冷媒の圧力が測定される。
【０００５】
【発明が解決しようとする課題】
上記構成のチャージホース１００では、押圧部材３０が、チャッキ弁６のロッド５の先端部に当接した後、チャッキ弁６が下側に移動を開始して弁本体６ａがＯリング７から離間したときは、図９から分かるようにパッキン１５はホース本体２の先端部に当接していない。
そのため、弁本体６ａがＯリング７から離間し、空調機の冷媒がチャージホース１００の通路１７に流れ込む際に、パッキン１５とポート本体２の先端部との間の隙間Ａを通じて外部に漏れてしまうという問題点があった。
【０００６】
この発明は、上記のような問題点を解決することを課題とするものであって、サービスポートにチャージホースを取り付けた際に、冷媒回路からの冷媒が外部に漏れるのを防止したチャージホースを得ることを目的とする。
【０００７】
【課題を解決するための手段】
この発明に係るチャージホースは、ポート本体と接続される筒状の接続部と、この接続部に端部が貫通し冷媒が流通する通路を有するホース本体と、このホース本体の端部に設けられホース本体側に付勢されたチャッキ弁の付勢力に逆らってチャッキ弁の先端部と当接してチャッキ弁を移動させて前記冷媒回路と連通させる押圧部材と、この押圧部材を囲って設けられ、前記ポート本体の先端部に当接するとともに圧縮変形する筒状のパッキンとを備え、前記押圧部材は、前記チャッキ弁の前記先端部に当接したときには、前記パッキンも前記ポート本体の先端部に当接するようになっている。
【０００８】
【発明の実施の形態】
実施の形態１．
以下、この発明の実施の形態について説明するが、従来のものと同一または相当部材については同一符号を付して説明する。
図１はこの発明の実施の形態１のチャージホース１０の断面図、図２は図１のチャージホース１０の分解斜視図である。
このチャージホース１０は、鋼材で構成された円筒形状の接続部１１と、この接続部１１に端部が貫通し空調機の冷媒が流通する通路１７を有する黄銅製のホース本体１２と、このホース本体１２の端部に設けられ台形状の押圧部材１６と、ホース本体１２の端部に接着されたゴム製の円筒形状のパッキン１５とを備えている。
ホース本体１２の端部には径方向に延びたフランジ１３が形成されている。押圧部材１６は、図３に示すように、台形状の押圧部材本体１６ｂと、この押圧部材本体１６ｂの両側に設けられた台座部１６ａとから構成されている。この台座部１６ａは、ホース本体１２のフランジ１３とパッキン１５とで挟持されている。
【０００９】
空調機の冷媒回路にはサービスポート１が設けられている。このサービスポート１については、先に図８〜図１０で説明したものと同一であるので、その説明は省略する。
【００１０】
前記押圧部材１６は、チャッキ弁６の先端部に当接したときに、パッキン１５もポート本体２の先端部に当接するようになっている。
即ち、押圧部材１６は、図７に示すように、従来の押圧部材３０と比較して押圧部材本体１６ｂの高さをＨだけ短く調節することで、チャッキ弁６のロッド５の先端部に当接したときに、パッキン１５もポート本体２の先端部に当接するようになっている。
【００１１】
次に、上記構成のチャージホース１０を用いて、空調機の冷媒回路内の圧力を測定する場合の作用について説明する。
先ず、チャージホース１０を回転させて、図４に示すようにポート本体２の雄ねじ部９に接続部１１の雌ねじ部１４を螺着する。その後もチャージホース１０を回転し続けることで、押圧部材１６の底面はロッド５の先端部に当接するが、このときには、パッキン１５もポート本体２の先端部に当接する（図５）。
その後も、チャージホース１０を回転させることで、パッキン１５が弾性変形しつつ、図６に示すように、チャッキ弁６は、押圧部材１６を通じてスプリング８の弾性力に逆らって下動し、弁本体６ａがＯリング７から離間し、空調機の冷媒は、チャージホース１０の通路１７に流れ込む。
【００１２】
このように、この実施の形態１のチャージホース１０では、押圧部材１６がロッド５の先端部に当接したときに、パッキン１５もポート本体２の先端部に当接するようになっているので、弁本体６ａがＯリング７から離間し、空調機の冷媒は、チャージホース１０の通路１７に流れ込むときに、冷媒がパッキン１５とホース本体２との間から外部に漏れるようなことはない。
また、押圧部材１６の台座部１６ａは、ホース本体１２のフランジ１３とパッキン１５とで挟持され、押圧部材１６は、簡単な構成でホース本体１２に取り付けられる。
【００１３】
なお、上記実施の形態では、押圧部材１６がロッド５の先端部に当接したときに、パッキン１５もポート本体２の先端部に当接するようになっているが、押圧部材がロッドの先端部に当接する手前で、パッキンがポート本体の先端部に当接するようになっていてもよく、この場合は、上記実施の形態のものよりも、冷媒をより確実に外部に漏れるのを防止することができる。
また、上記実施の形態では、空調機の冷媒回路の冷媒圧力を測定するために用いられるチャージホース１０について説明したが、勿論このものに限定されない。例えば、冷凍回路の冷媒圧力を測定するものであってもよい。
【００１４】
【発明の効果】
以上説明したように、この発明に係るチャージホースは、ポート本体と接続される筒状の接続部と、この接続部に端部が貫通し冷媒が流通する通路を有するホース本体と、このホース本体の端部に設けられホース本体側に付勢されたチャッキ弁の付勢力に逆らってチャッキ弁の先端部と当接してチャッキ弁を移動させて前記冷媒回路と連通させる押圧部材と、この押圧部材を囲って設けられ、前記ポート本体の先端部に当接するとともに圧縮変形する筒状のパッキンとを備え、前記押圧部材は、前記チャッキ弁の前記先端部に当接したときには、前記パッキンも前記ポート本体の先端部に当接するようになっているので、チャージホースをサービスポートに取り付けた際に、冷媒が外部に漏れるようなことは防止される。
【図面の簡単な説明】
【図１】この発明の実施の形態１のチャージホースおよびサービスポートの断面図である。
【図２】図１のチャージホースの断面斜視図である。
【図３】図１の押圧部材の斜視図である。
【図４】図１のチャージホースがサービスポートに取り付けられる途中の断面図である。
【図５】図１のチャージホースがサービスポートに取り付けられる途中の断面図である。
【図６】図１のチャージホースがサービスポートに最終的に取り付けられたときの断面図である。
【図７】実施の形態１の押圧部材と従来例の押圧部材との比較図である。
【図８】従来のチャージホースがサービスポートに取り付けられる途中の断面図である。
【図９】従来のチャージホースがサービスポートに取り付けられる途中の断面図である。
【図１０】従来のチャージホースがサービスポートに最終的に取り付けられたときの断面図である。
【符号の説明】
１  サービスポート、２  ポート本体、５  ロッド、６  チャッキ弁、８  スプリング、１０  チャージホース、１１  接続部、１２  ホース本体、１３  フランジ、１５  パッキン、１６  押圧部材、１７  通路。
【図１】
2005009594.tif 000003
【図２】
2005009594.tif 000004
【図３】
2005009594.tif 000005
【図４】
2005009594.tif 000006
【図５】
2005009594.tif 000007
【図６】
2005009594.tif 000008
【図７】
2005009594.tif 000009
【図８】
2005009594.tif 000010
【図９】
2005009594.tif 000011
【図１０】
2005009594.tif 000012